(57)【要約】  本開示は、情報処理方法および装置を提供する。シングル登録モードで動作するユーザ機器に応用される前記情報処理方法において、第１ネットワークの補助情報を受信することと、前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こすこととを含む。【選択図】図２
2020519179.tif 000002
【特許請求の範囲】
【請求項１】
シングル登録モードで動作するユーザ機器に応用される情報処理方法において、
第１ネットワークの補助情報を受信することと、
前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こすこととを含む、情報処理方法。
【請求項２】
前記第１ネットワークと第２ネットワークの間で移動する際に、前記第１ネットワークの補助情報に基づいて、アタッチまたは初期登録プロセスを引き起こすことは、
前記第１ネットワークの補助情報に基づいて、前記第１ネットワークでシングル登録モードがサポートされるか否かを特定することと、
前記第１ネットワークでシングル登録モードがサポートされないのであれば、前記第２ネットワークにアクセスする際にアタッチまたは初期登録プロセスを引き起こすこととを含む、請求項１に記載の方法。
【請求項３】
前記補助情報は、
非アクセス層の登録モード協議結果または指示を含み、
前記の前記第１ネットワークの補助情報に基づいて、前記第１ネットワークでシングル登録モードがサポートされるか否かを特定することは、
前記登録モード協議結果または指示に基づいて、前記第１ネットワークでシングル登録モードがサポートされるか否かを特定することを含む、請求項２に記載の方法。
【請求項４】
前記補助情報は、
隣接セル測定情報を含み、
前記第１ネットワークの補助情報に基づいて、前記第１ネットワークでシングル登録モードがサポートされるか否かを特定することは、
前記第２ネットワークの該当するアクセス技術の任意のセルの情報が前記隣接セル測定情報に含まれないのであれば、前記第１ネットワークでシングル登録モードがサポートされないと特定することを含む、請求項２に記載の方法。
【請求項５】
前記第１ネットワークと第２ネットワークの間で移動する際に、前記第１ネットワークの補助情報に基づいて、アタッチまたは初期登録プロセスを引き起こすことは、
前記第１ネットワークの補助情報に基づいて、第２ネットワークへのアクセスを実行する必要があるかを特定することと、
前記第２ネットワークへのアクセスの実行が必要であれば、前記第２ネットワークにアクセスする際にアタッチまたは初期登録プロセスを引き起こすこととを含む、請求項１に記載の方法。
【請求項６】
前記補助情報は、
前記第１ネットワークの基地局からＲＲＣメッセージで送信される指示を含み、
前記指示は、
前記第２ネットワークのセル情報、異なるアクセス技術間の切り替えの未対応、または、前記第２ネットワークへの再選択の実行の指示を含む、請求項５に記載の方法。
【請求項７】
前記ＲＲＣメッセージは、
ＲＲＣ接続解除メッセージである、請求項６に記載の方法。
【請求項８】
前記指示は、
前記第１ネットワークで異なるアクセス技術間の切り替えの実行に失敗した際に送信される、請求項７に記載の方法。
【請求項９】
前記補助情報は、
前記第１ネットワークのコアネットワークからＮＡＳ（Ｎｏｎ−ａｃｃｅｓｓ  ｓｔｒａｔｕｍ）メッセージで送信される指示を含み、
前記指示は、
前記第２ネットワークへの再選択の実行の指示を含む、請求項２に記載の方法。
【請求項１０】
第１ネットワークのネットワーク側機器に応用される情報処理方法において、
補助情報を取得することと、
シングル登録モードで動作するＵＥに前記補助情報を送信することとを含み、
前記ＵＥは、
前記第１ネットワークと第２ネットワークの間で移動する際に、前記第１ネットワークの補助情報に基づいて、アタッチまたは初期登録プロセスを引き起こす、情報処理方法。
【請求項１１】
前記補助情報は、非アクセス層の登録モード協議結果または指示を含むこと、または、
前記補助情報は、隣接セル測定情報を含むこと、または、
前記補助情報は、前記第１ネットワークの基地局からＲＲＣメッセージで送信される指示であって、異なるアクセス技術の目標セル情報、異なるアクセス技術間の切り替えの未対応、または、前記第２ネットワークへの再選択の実行の指示を含む指示を含むこと、または、
前記補助情報は、前記第１ネットワークのコアネットワークからＮＡＳメッセージで送信される、前記第２ネットワークへの再選択の実行の指示を含む指示を含む、請求項１０に記載の方法。
【請求項１２】
前記ＲＲＣメッセージは、
ＲＲＣ接続解除メッセージである、請求項１１に記載の方法。
【請求項１３】
前記第１ネットワークの基地局からＲＲＣメッセージで送信される指示は、
前記第１ネットワークで異なるアクセス技術間の切り替えの実行に失敗した際に送信される、請求項１２に記載の方法。
【請求項１４】
シングル登録モードで動作するユーザ機器に応用される情報処理装置において、
第１ネットワークの補助情報を受信する受信モジュールと、
前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こす処理モジュールとを含む、情報処理装置。
【請求項１５】
前記処理モジュールは、
前記第１ネットワークの補助情報に基づいて、前記第１ネットワークでシングル登録モードがサポートされるか否かを特定する特定サブモジュールと、
前記第１ネットワークでシングル登録モードがサポートされないのであれば、前記第２ネットワークにアクセスする際にアタッチまたは初期登録プロセスを引き起こす処理サブモジュールとを含む、請求項１４に記載の装置。
【請求項１６】
前記補助情報は、
非アクセス層の登録モード協議結果または指示を含み、
前記特定サブモジュールは、具体的に、
前記登録モード協議結果または指示に基づいて、前記第１ネットワークでシングル登録モードがサポートされるか否かを特定する、請求項１５に記載の装置。
【請求項１７】
前記補助情報は、
隣接セル測定情報を含み、
前記特定サブモジュールは、具体的に、
前記第２ネットワークの該当するアクセス技術の任意のセルの情報が前記隣接セル測定情報に含まれないのであれば、前記第１ネットワークでシングル登録モードがサポートされないと特定する、請求項１５に記載の装置。
【請求項１８】
前記処理モジュールは、
前記第１ネットワークの補助情報に基づいて、第２ネットワークへのアクセスを実行する必要があるかを特定する特定サブモジュールと、
第２ネットワークへのアクセスの実行が必要であれば、前記第２ネットワークにアクセスする際にアタッチまたは初期登録プロセスを引き起こす処理サブモジュールとを含む、請求項１４に記載の装置。
【請求項１９】
前記補助情報は、
前記第１ネットワークの基地局からＲＲＣメッセージで送信される指示を含み、
前記指示は、
異なるアクセス技術の目標セル情報、異なるアクセス技術間の切り替えの未対応、または、前記第２ネットワークへの再選択の実行の指示を含む、請求項１８に記載の装置。
【請求項２０】
前記ＲＲＣメッセージは、
ＲＲＣ接続解除メッセージである、請求項１９に記載の装置。
【請求項２１】
前記指示は、
前記第１ネットワークで異なるアクセス技術間の切り替えの実行に失敗した際に送信される、請求項２０に記載の装置。
【請求項２２】
前記補助情報は、
前記第１ネットワークのコアネットワークからＮＡＳメッセージで送信される指示を含み、
前記指示は、
前記第２ネットワークへの再選択の実行の指示を含む、請求項１５に記載の装置。
【請求項２３】
第１ネットワークのネットワーク側機器に応用される情報処理装置において、
補助情報を取得する取得モジュールと、
シングル登録モードで動作するＵＥに前記補助情報を送信する送信モジュールとを含み、
前記ＵＥは、
前記第１ネットワークと第２ネットワークの間で移動する際に、前記第１ネットワークの補助情報に基づいて、アタッチまたは初期登録プロセスを引き起こす、情報処理装置。
【請求項２４】
前記補助情報は、非アクセス層の登録モード協議結果または指示を含むこと、または、
前記補助情報は、隣接セル測定情報を含むこと、または、
前記補助情報は、前記第１ネットワークの基地局からＲＲＣメッセージで送信される指示であって、異なるアクセス技術の目標セル情報、異なるアクセス技術間の切り替えの未対応、または、前記第２ネットワークへの再選択の実行の指示を含む指示を含むこと、または、
前記補助情報は、前記第１ネットワークのコアネットワークからＮＡＳメッセージで送信される、前記第２ネットワークへの再選択の実行の指示を含む指示を含む、請求項２３に記載の装置。
【請求項２５】
前記ＲＲＣメッセージは、
ＲＲＣ接続解除メッセージである、請求項２４に記載の装置。
【請求項２６】
前記第１ネットワークの基地局からＲＲＣメッセージで送信される指示は、
前記第１ネットワークで異なるアクセス技術間の切り替えの実行に失敗した際に送信される、請求項２５に記載の装置。
【請求項２７】
プロセッサと、メモリと、データを送受信するトランシーバを含むユーザ機器において、
前記プロセッサは、メモリからプログラムを読み取ることによって、
第１ネットワークの補助情報をトランシーバで受信するプロセスと、
前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こすプロセスとを実行する、ユーザ機器。
【請求項２８】
プロセッサと、メモリと、データを送受信するトランシーバを含むネットワーク側機器において、
前記プロセッサは、メモリからプログラムを読み取ることによって、
補助情報を取得するプロセスと、
シングル登録モードで動作するＵＥに前記補助情報をトランシーバで送信するプロセスとを実行し、
前記ＵＥは、
前記第１ネットワークと第２ネットワークの間で移動する際に、前記第１ネットワークの補助情報に基づいて、アタッチまたは初期登録プロセスを引き起こす、ネットワーク側機器。
【発明の詳細な説明】
【技術分野】
【０００１】
本願は、２０１７年５月２日に中国特許庁に提出された中国特許出願２０１７１０３０１６２９．３の優先権を主張し、その全ての内容が援用によりここに取り込まれる。
本開示は、通信技術分野に係り、特に情報処理方法および装置に係る。
【背景技術】
【０００２】
通信技術の発展につれて、５Ｇネットワークにおいて、ＬＴＥ（Ｌｏｎｇ  Ｔｅｒｍ  Ｅｖｏｌｕｔｉｏｎ）ネットワークとの相互操作をサポートする必要がある。しかし、５ＧのＣｏｒｅ  Ｎｅｔｗｏｒｋ（５ＧＣ）とＥｖｏｌｖｅｄ  Ｐａｃｋｅｔ  Ｃｏｒｅとの間の相互操作方式は、完全にプロバイダーによって決められる。すなわち、Ｎｘインタフェースをサポートするか否かは、プロバイダーによって決められる。端末に影響を与えるｄｕａｌ  ｒｅｇｉｓｔｒａｔｉｏｎ  ｍｏｄｅをサポートすることは、一部の端末側メーカーに望まれていないため、端末の能力とネットワークの能力とはマッチしないシーンが現れる可能性がある。すなわち、端末は、ｓｉｎｇｌｅ  ｒｅｇｉｓｔｒａｔｉｏｎ  ｍｏｄｅのみをサポートし、ネットワークでは、Ｎｘインタフェースがサポートされない。この場合、ＵＥが５ＧとＬＴＥネットワークの間で移動する際に、移動性管理プロセスの失敗が生じる可能性がある。
【発明の概要】
【発明が解決しようとする課題】
【０００３】
これに鑑みて、本開示は、端末が異なるアクセス技術のネットワーク間で移動する際に移動性管理の失敗が生じるという問題を避け、通信品質を保証するために、情報処理方法および装置を提供する。
【課題を解決するための手段】
【０００４】
上記の課題を解決するために、本開示のシングル登録モードで動作するユーザ機器に応用される情報処理方法において、第１ネットワークの補助情報を受信することと、前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こすこととを含む。
【０００５】
一部の選択可能な実施例において、前記の前記第１ネットワークと第２ネットワークの間で移動する際に、前記第１ネットワークの補助情報に基づいて、アタッチまたは初期登録プロセスを引き起こすことは、前記第１ネットワークの補助情報に基づいて、前記第１ネットワークでシングル登録モードがサポートされるか否かを特定することと、前記第１ネットワークでシングル登録モードがサポートされないのであれば、前記第２ネットワークにアクセスする際にアタッチまたは初期登録プロセスを引き起こすこととを含む。
【０００６】
一部の選択可能な実施例において、前記補助情報は、非アクセス層（ＮＡＳ：Ｎｏｎ−ａｃｃｅｓｓ  ｓｔｒａｔｕｍ）の登録モード協議結果または指示を含み、前記の前記第１ネットワークの補助情報に基づいて、前記第１ネットワークでシングル登録モードがサポートされるか否かを特定することは、前記登録モード協議結果または指示に基づいて、前記第１ネットワークでシングル登録モードがサポートされるか否かを特定することを含む。
【０００７】
一部の選択可能な実施例において、前記補助情報は、隣接セル測定情報を含み、前記の前記第１ネットワークの補助情報に基づいて、前記第１ネットワークでシングル登録モードがサポートされるか否かを特定することは、前記第２ネットワークの該当するアクセス技術の任意のセルの情報が前記隣接セル測定情報に含まれないのであれば、前記第１ネットワークでシングル登録モードがサポートされないと特定することを含む。
【０００８】
一部の選択可能な実施例において、前記の前記第１ネットワークと第２ネットワークの間で移動する際に、前記第１ネットワークの補助情報に基づいて、アタッチまたは初期登録プロセスを引き起こすことは、前記第１ネットワークの補助情報に基づいて、第２ネットワークへのアクセスを実行する必要があるかを特定することと、前記第２ネットワークへのアクセスの実行が必要であれば、前記第２ネットワークにアクセスする際にアタッチまたは初期登録プロセスを引き起こすこととを含む。
【０００９】
一部の選択可能な実施例において、前記補助情報は、前記第１ネットワークの基地局からＲＲＣメッセージで送信される指示を含み、前記指示は、異なるアクセス技術の目標セル情報、異なるアクセス技術間の切り替えの未対応、または、前記第２ネットワークへの再選択の実行の指示を含む。
【００１０】
一部の選択可能な実施例において、前記ＲＲＣメッセージは、ＲＲＣ接続解除メッセージである。
【００１１】
一部の選択可能な実施例において、前記指示は、前記第１ネットワークで異なるアクセス技術間の切り替えの実行に失敗した際に送信される。
【００１２】
一部の選択可能な実施例において、前記補助情報は、前記第１ネットワークのコアネットワークからＮＡＳメッセージで送信される指示を含み、前記指示は、前記第２ネットワークへの再選択の実行の指示を含む。
【００１３】
第２方面として、本開示の実施例の第１ネットワークのネットワーク側機器に応用される情報処理方法において、補助情報を取得することと、シングル登録モードで動作するＵＥに前記補助情報を送信することとを含み、前記ＵＥは、前記第１ネットワークと第２ネットワークの間で移動する際に、前記第１ネットワークの補助情報に基づいて、アタッチまたは初期登録プロセスを引き起こす。
【００１４】
一部の選択可能な実施例において、前記補助情報は、非アクセス層の登録モード協議結果または指示を含むこと、または、前記補助情報は、隣接セル測定情報含むこと、または、前記補助情報は、前記第１ネットワークの基地局からＲＲＣメッセージで送信される指示であって、異なるアクセス技術の目標セル情報、異なるアクセス技術間の切り替えの未対応、または、前記第２ネットワークへの再選択の実行の指示を含む指示を含むこと、または、前記補助情報は、前記第１ネットワークのコアネットワークからＮＡＳメッセージで送信される、前記第２ネットワークへの再選択の実行の指示を含む指示を含む。
【００１５】
一部の選択可能な実施例において、前記ＲＲＣメッセージは、ＲＲＣ接続解除メッセージである。
【００１６】
一部の選択可能な実施例において、前記第１ネットワークの基地局からＲＲＣメッセージで送信される指示は、前記第１ネットワークで異なるアクセス技術間の切り替えの実行に失敗した際に送信される。
【００１７】
第３方面として、本開示の実施例のシングル登録モードで動作するユーザ機器に応用される情報処理装置は、第１ネットワークの補助情報を受信する受信モジュールと、前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こす処理モジュールとを含む。
【００１８】
一部の選択可能な実施例において、前記処理モジュールは、前記第１ネットワークの補助情報に基づいて、前記第１ネットワークでシングル登録モードがサポートされるか否かを特定する特定サブモジュールと、前記第１ネットワークでシングル登録モードがサポートされないのであれば、前記第２ネットワークにアクセスする際にアタッチまたは初期登録プロセスを引き起こす処理サブモジュールとを含む。
【００１９】
一部の選択可能な実施例において、前記補助情報は、非アクセス層の登録モード協議結果または指示を含み、前記特定サブモジュールは、具体的に、前記登録モード協議結果または指示に基づいて、前記第１ネットワークでシングル登録モードがサポートされるか否かを特定する。
【００２０】
一部の選択可能な実施例において、前記補助情報は、隣接セル測定情報を含み、前記特定サブモジュールは、具体的に、前記第２ネットワークの該当するアクセス技術の任意のセルの情報が前記隣接セル測定情報に含まれないのであれば、前記第１ネットワークでシングル登録モードがサポートされないと特定する。
【００２１】
一部の選択可能な実施例において、前記処理モジュールは、前記第１ネットワークの補助情報に基づいて、第２ネットワークへのアクセスを実行する必要があるかを特定する特定サブモジュールと、第２ネットワークへのアクセスの実行が必要であれば、前記第２ネットワークにアクセスする際にアタッチまたは初期登録プロセスを引き起こす処理サブモジュールとを含む。
【００２２】
一部の選択可能な実施例において、前記補助情報は、前記第１ネットワークの基地局からＲＲＣメッセージで送信される指示を含み、前記指示は、異なるアクセス技術の目標セル情報、異なるアクセス技術間の切り替えの未対応、または、前記第２ネットワークへの再選択の実行の指示を含む。
【００２３】
一部の選択可能な実施例において、前記ＲＲＣメッセージは、ＲＲＣ接続解除メッセージである。
【００２４】
一部の選択可能な実施例において、前記指示は、前記第１ネットワークで異なるアクセス技術間の切り替えの実行に失敗した際に送信される。
【００２５】
一部の選択可能な実施例において、前記補助情報は、前記第１ネットワークのコアネットワークからＮＡＳメッセージで送信される指示を含み、前記指示は、前記第２ネットワークへの再選択の実行の指示を含む。
【００２６】
第４方面として、本開示の実施例の第１ネットワークのネットワーク側機器に応用される情報処理装置は、補助情報を取得する取得モジュールと、シングル登録モードで動作するＵＥに前記補助情報を送信する送信モジュールとを含み、前記ＵＥは、前記第１ネットワークと第２ネットワークの間で移動する際に、前記第１ネットワークの補助情報に基づいて、アタッチまたは初期登録プロセスを引き起こす。
【００２７】
一部の選択可能な実施例において、前記補助情報は、非アクセス層の登録モード協議結果または指示を含むこと、または、前記補助情報は、隣接セル測定情報を含むこと、または、前記補助情報は、前記第１ネットワークの基地局からＲＲＣメッセージで送信される指示であって、異なるアクセス技術の目標セル情報、異なるアクセス技術間の切り替えの未対応、または、前記第２ネットワークへの再選択の実行の指示を含む指示を含むこと、または、前記補助情報は、前記第１ネットワークのコアネットワークからＮＡＳメッセージで送信される、前記第２ネットワークへの再選択の実行の指示を含む指示を含む。
【００２８】
一部の選択可能な実施例において、前記ＲＲＣメッセージは、ＲＲＣ接続解除メッセージである。
【００２９】
一部の選択可能な実施例において、前記第１ネットワークの基地局からＲＲＣメッセージで送信される指示は、前記第１ネットワークで異なるアクセス技術間の切り替えの実行に失敗した際に送信される。
【００３０】
第５方面として、本開示の実施例は、プロセッサと、メモリと、データを送受信するトランシーバを含むユーザ機器を提供する。前記プロセッサは、メモリからプログラムを読み取ることによって、第１ネットワークの補助情報をトランシーバで受信するプロセスと、前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こすプロセスとを実行する。
【００３１】
第６方面として、本開示の実施例は、プロセッサと、メモリと、データを送受信するトランシーバを含むネットワーク側機器を提供する。前記プロセッサは、メモリからプログラムを読み取ることによって、補助情報を取得するプロセスと、シングル登録モードで動作するＵＥに前記補助情報をトランシーバで送信するプロセスとを実行し、前記ＵＥは、前記第１ネットワークと第２ネットワークの間で移動する際に、前記第１ネットワークの補助情報に基づいて、アタッチまたは初期登録プロセスを引き起こす。
【発明の効果】
【００３２】
本開示の実施例において、ＵＥは、第１ネットワークと第２ネットワークの間で移動する際に、第１ネットワークの補助情報に基づいて、アタッチまたは初期登録プロセスを引き起こすことによって、異なるアクセス技術のネットワーク間で移動する際に移動性管理の失敗が生じるという問題を避け、通信品質を保証する。
【図面の簡単な説明】
【００３３】
【図１】５ＧネットワークとＬＴＥネットワークの相互操作をサポートするネットワークアーキテクチャモデルの概略図である。
【図２】本開示の実施例における情報処理方法のフローチャートである。
【図３】本開示の実施例における情報処理方法のフローチャートである。
【図４】本開示の実施例における情報処理方法のフローチャートである。
【図５】本開示の実施例における情報処理方法のフローチャートである。
【図６】本開示の実施例における情報処理方法のフローチャートである。
【図７】本開示の実施例における情報処理方法のフローチャートである。
【図８】本開示の実施例における情報処理方法のフローチャートである。
【図９】本開示の実施例における情報処理装置の概略図である。
【図１０】本開示の実施例における情報処理装置の概略図である。
【図１１】本開示の実施例におけるネットワーク側機器の概略図である。
【図１２】本開示の実施例におけるユーザ機器の概略図である。
【発明を実施するための形態】
【００３４】
以下、図面と実施例を通じて本開示の具体的な実施形態をさらに詳細に記載する。以下の実施例は、本開示の説明に用いられるが、本開示の範囲を限定するためのものではない。
【００３５】
図１は、５ＧネットワークとＬＴＥネットワークの相互操作をサポートするネットワークアーキテクチャモデルである。
【００３６】
図１で、ＭＭＥ（Ｍｏｂｉｌｉｔｙ  Ｍａｎａｇｅｍｅｎｔ  Ｅｎｔｉｔｙ）と５Ｇ  Ｓｙｓｔｅｍ（５ＧＳ）のＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）との間のＮｘインタフェースは、サポート可否が選択可能である。ネットワークでＮｘインタフェースがサポートされる場合、ネットワークでは、５ＧとＬＴＥネットワークとの間の切り替えをサポートする。この場合、ＭＭＥとＡＭＦとの間では、移動性コンテキストとセッション接続のコンテキストを含んだＵＥ（Ｕｓｅｒ  Ｅｑｕｉｐｍｅｎｔ）のコンテキスト情報を伝達する必要がある。ＵＥは、このようなＮｘインタフェースがサポートされるネットワークにアクセスする際に、その登録モードとして、ネットワークでシングル登録モード（ｓｉｎｇｌｅ  ｒｅｇｉｓｔｒａｔｉｏｎ  ｍｏｄｅ）に設定される可能性がある。
【００３７】
ネットワークでＮｘインタフェースがサポートされない場合、５ＧとＬＴＥネットワークとの間の切り替えは、サポートされない。この場合、相互操作をサポートするために、ネットワークでは、端末に対しデュアル登録モード（ｄｕａｌ  ｒｅｇｉｓｔｒａｔｉｏｎ  ｍｏｄｅ）を要求する必要があり、すなわちＬＴＥネットワークと５Ｇネットワークの両方での登録を保持する。デュアル登録モードでサービスの連続性をサポートすることを考慮し、ネットワークにおける制御プレーンのＳＭＦ（Ｓｅｓｓｉｏｎ  Ｍａｎａｇｅｍｅｎｔ  Ｆｕｎｃｔｉｏｎ）は、ＰＧＷ−Ｃ（ＰＤＮ  Ｇａｔｅ  Ｗａｙ）の機能もサポートすることが求められる。このように、ＵＥがＬＴＥと５Ｇの間で移動する際に、そのセッション接続が同一のユーザプレーンアンカーのままであることは、「ＨＯ  ｒｅｇｉｓｔｒａｔｉｏｎ」によって保証される。
【００３８】
デュアル登録ＵＥは、さらにｓｉｎｇｌｅ  ｒａｄｉｏ能力のＵＥとｄｕａｌ  ｒａｄｉｏ能力のＵＥに分けられる。ｓｉｎｇｌｅ  ｒａｄｉｏの端末は、同一時刻で片方のセッション接続しか保持できず、すなわちＬＴＥネットワークで接続を保持するか、５Ｇネットワークで接続を保持する。このように、端末がＬＴＥネットワークと５Ｇネットワークの間で移動する際に、パケットロスが避けられず、シームレスのサービス連続性が保証できない。一方、ｄｕａｌ  ｒａｄｉｏの端末は、ＬＴＥネットワークと５Ｇネットワークの両方で接続を保持することができる。よって、ネットワーク間で移動する際に、ｍａｋｅ−ｂｅｆｏｒｅ−ｂｒｅａｋ方式で接続の切り替えを行う。すなわち、切り替え後のネットワークからデータを受信すると同時に、切り替え前のネットワークからもデータを受信するため、サービスの連続性が保証される。
【００３９】
ｓｉｎｇｌｅ  ｒｅｇｉｓｔｒａｔｉｏｎ  ｍｏｄｅをサポートするＵＥがアイドル状態である際に、Ｅ−ＵＴＲＡＮアクセスが選択されると、ＵＥは、ＴＡＵプロセスを実行する。しかし、５ＧＣとＥＰＣネットワークの間でＮｘインタフェースがサポートされなければ、ＵＥのＴＡＵプロセスが拒否されるため、ＵＥは、セルの再選択を行うか、アタッチプロセスを新たに引き起こす。よって、特に５ＧＳとＥＰＳネットワークの間でｐｉｎｇ−ｐｏｎｇ移動を行う場合、余分にシグナリングオーバヘッドが増え、ＵＥによるネットワークサービスの取得が遅くなる。ｓｉｎｇｌｅ  ｒｅｇｉｓｔｒａｔｉｏｎ  ｍｏｄｅをサポートする接続状態のＵＥについて、５ＧＣとＥＰＣネットワークの間でＮｘインタフェースがサポートされない場合の処理が検討されておらず、移動性管理失敗の問題が生じる可能性もある。
【００４０】
そこで、本開示の実施例は、端末が異なるアクセス技術のネットワーク間で移動する際に移動性管理の失敗が生じるという問題を避け、通信品質を保証するために、情報処理方法および装置を提供する。
【００４１】
図２に示すように、本開示の実施例のシングル登録モードで動作するＵＥに応用される情報処理方法において、第１ネットワークの補助情報を受信するステップ２０１と、前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こすステップ２０２とを含む。
【００４２】
本開示の実施例において、初期登録プロセスとは、端末によって引き起こされ、ＳＵＰＩ（Ｓｕｂｓｃｒｉｂｅｒ  Ｐｅｒｍａｎｅｎｔ  Ｉｄｅｎｔｉｆｉｅｒ）が付帯される登録プロセスである。
【００４３】
ここで、前記第１ネットワークは、５Ｇネットワークであり、第２ネットワークは、ＬＴＥネットワークである。なお、第１ネットワークと第２ネットワークは、技術の発展につれて変化する可能性もある。
【００４４】
ステップ２０２において、前記第１ネットワークの補助情報に基づいて、前記第１ネットワークでシングル登録モードがサポートされるか否かを特定する。たとえば、前記第１ネットワークでＮｘインタフェースがサポートされるか否かを特定する。前記第１ネットワークでシングル登録モードがサポートされないのであれば、前記第２ネットワークにアクセスする際にアタッチまたは初期登録プロセスを引き起こす。
【００４５】
本開示の実施例において、前記補助情報は、非アクセス層の登録モード協議結果または指示を含む。具体的に、前記第１ネットワークの補助情報に基づいて、前記第１ネットワークでシングル登録モードがサポートされるか否かを特定することは、具体的に、前記登録モード協議結果または指示に基づいて、前記第１ネットワークでシングル登録モードがサポートされるか否かを特定する。登録モード協議結果によって、シングル登録モードがサポートされると示される場合、第１ネットワークでシングル登録モードがサポートされると特定するが、逆の場合、第１ネットワークでシングル登録モードがサポートされないと特定する。
【００４６】
本開示の実施例において、前記補助情報は、隣接セル測定情報を含む。具体的に、前記第１ネットワークの補助情報に基づいて、前記第１ネットワークでシングル登録モードがサポートされるか否かを特定することは、前記第２ネットワークの該当するアクセス技術の任意のセルの情報が前記隣接セル測定情報に含まれないのであれば、前記第１ネットワークでシングル登録モードがサポートされないと特定する。
【００４７】
ステップ２０２において、前記第１ネットワークの補助情報に基づいて、第２ネットワークへのアクセスを実行する必要があるかを特定し、前記第２ネットワークへのアクセスの実行が必要であれば、前記第２ネットワークにアクセスする際にアタッチまたは初期登録プロセスを引き起こす。本開示の実施例において、前記補助情報は、前記第１ネットワークの基地局からＲＲＣ（Ｒａｄｉｏ  Ｒｅｓｏｕｒｃｅ  Ｃｏｎｔｒｏｌ）メッセージで送信される指示を含む。前記指示は、異なるアクセス技術の目標セル情報、異なるアクセス技術間の切り替えの未対応、または、前記第２ネットワークへの再選択の実行の指示を含む。実際の応用において、前記ＲＲＣメッセージは、ＲＲＣ接続解除メッセージである。しかも、前記指示は、前記第１ネットワークで異なるアクセス技術間の切り替えの実行に失敗した際に送信される。
【００４８】
本開示の実施例において、前記補助情報は、前記第１ネットワークのコアネットワークからＮＡＳメッセージで送信される指示を含み、前記指示は、前記第２ネットワークへの再選択の実行の指示を含む。
【００４９】
本開示の実施例において、ＵＥは、第１ネットワークと第２ネットワークの間で移動する際に、第１ネットワークの補助情報に基づいて、アタッチまたは初期登録プロセスを引き起こすことによって、異なるアクセス技術のネットワーク間で移動する際に移動性管理の失敗が生じるという問題を避け、通信品質を保証する。
【００５０】
図３に示すように、本開示の実施例の第１ネットワークのネットワーク側機器に応用される情報処理方法において、補助情報を取得するステップ３０１と、シングル登録モードで動作するＵＥに前記補助情報を送信するステップ３０２とを含む。前記ＵＥは、前記第１ネットワークと第２ネットワークの間で移動する際に、前記第１ネットワークの補助情報に基づいて、アタッチまたは初期登録プロセスを引き起こす。
【００５１】
本開示の実施例において、前記補助情報は、非アクセス層の登録モード協議結果または指示を含む。または、前記補助情報は、隣接セル測定情報を含む。または、前記補助情報は、前記第１ネットワークの基地局からＲＲＣメッセージで送信される指示であって、異なるアクセス技術の目標セル情報、異なるアクセス技術間の切り替えの未対応、または、前記第２ネットワークへの再選択の実行の指示を含む指示を含む。または、前記補助情報は、前記第１ネットワークのコアネットワークからＮＡＳメッセージで送信される、前記第２ネットワークへの再選択の実行の指示を含む指示を含む。
【００５２】
ここで、前記ＲＲＣメッセージは、ＲＲＣ接続解除メッセージである。前記第１ネットワークの基地局からＲＲＣメッセージで送信される指示は、前記第１ネットワークで異なるアクセス技術間の切り替えの実行に失敗した際に送信される。
【００５３】
本開示の実施例において、ＵＥは、第１ネットワークと第２ネットワークの間で移動する際に、第１ネットワークの補助情報に基づいて、アタッチまたは初期登録プロセスを引き起こすことによって、異なるアクセス技術のネットワーク間で移動する際に移動性管理の失敗が生じるという問題を避け、通信品質を保証する。
【００５４】
図４に示すように、本開示の実施例は、ＵＥが５ＧＳで登録モード協議を行ってＥＰＳへ接続状態で移動することを例として記載する。当該方法は、以下のステップを含む。
【００５５】
ステップ４０１において、ｓｉｎｇｌｅ  ｒｅｇｉｓｔｒａｔｉｏｎ  ｍｏｄｅで動作するＵＥは、まず５Ｇネットワークに登録し、ネットワークとの間で登録モード協議を行う（ｒｅｇｉｓｔｒａｔｉｏｎ  ｍｏｄｅ）。登録モード協議の結果に応じて、ＡＭＦは、ＮｘインタフェースがサポートされないことをＵＥに指示し、すなわち、シングル登録モードがサポートされない。登録モード協議は、選択可能なステップである。たとえば、ＵＥは、シングル登録モードのみがサポートされる場合、登録モード情報をネットワークに提供する必要がない。５Ｇネットワークにおいて、その自身の能力に応じて、シングル登録モードをサポートできないと特定すると、Ｎｘインタフェースがサポートされないこと、またはシングル登録モードがサポートされないことをＵＥに指示する。
【００５６】
ステップ４０２において、ＵＥは、登録モード協議結果または指示に基づいて、５Ｇネットワークでシングル登録モードがサポートされないと特定する。
【００５７】
ステップ４０３において、ＮＧ  ＲＡＮは、切り替えフローを引き起こそうとする。しかし、ＡＭＦがシングル登録モードをサポートしないため、ＮＧ  ＲＡＮは、ＥＰＳ（Ｅｖｏｌｖｅｄ  Ｐａｃｋｅｔ  Ｓｙｓｔｅｍ）への切り替えが実行できないと特定する。
【００５８】
ステップ４０４において、ＮＧ  ＲＡＮは、当該ＵＥのＲＲＣ接続を解除し、ＲＲＣ接続解除メッセージをＵＥに送信する。
【００５９】
当該ＲＲＣ接続解除メッセージは、前記第２ネットワークのセル情報、異なるアクセス技術間の切り替えの未対応、または、前記第２ネットワークへの再選択の実行の指示を含む。
【００６０】
ＵＥは、ＲＲＣ接続を解除する。
【００６１】
ステップ４０５において、ＵＥは、当該ＮＧ  ＲＡＮの指示情報に基づいて、ＥＰＳへのアタッチ（Ａｔｔａｃｈ）プロセスを実行すると特定する。
【００６２】
図５に示すように、本開示の実施例は、ＵＥが５ＧＳで登録モード協議を行ってＥＰＳへアイドル状態で移動することを例として記載する。当該方法は、以下のステップを含む。ステップ５０１において、ｓｉｎｇｌｅ  ｒｅｇｉｓｔｒａｔｉｏｎ  ｍｏｄｅで動作するＵＥは、まず５Ｇネットワークに登録し、ネットワークとの間で登録モード協議を行う。登録モード協議の結果に応じて、５ＧＳは、シングル登録モードをサポートしないことをＵＥに指示する。ステップ５０２において、ＵＥは、登録モード協議結果または指示に基づいて、５Ｇネットワークでシングル登録モードがサポートされないと特定する。ステップ５０３において、当該登録モード協議結果または指示に基づいて、ＵＥがＥＰＳネットワークのカバレッジに移動すると、ＴＡＵ（Ｔｒａｃｋｉｎｇ  Ａｒｅａ  Ｕｐｄａｔｅ）プロセスではなく、アタッチプロセスを実行する。ＵＥは、ＥＰＳにアタッチ要求（Ａｔｔａｃｈ  Ｒｅｑｕｅｓｔ）を送信する。ステップ５０４において、ＥＰＳは、アタッチ受け入れ（Ａｔｔａｃｈ  Ａｃｃｅｐｔ）をＵＥに送信する。
【００６３】
図６に示すように、本開示の実施例は、ＵＥが５ＧＳで登録しＥＰＳへ接続状態で移動することを例として記載する。当該方法は、以下のステップを含む。ステップ６０１において、接続状態のＵＥは、隣接セル測定情報をＮＧ  ＲＡＮから取得する。ステップ６０２において、接続状態のＵＥは、ＮＧ  ＲＡＮから提供された隣接セル測定情報に基づいて、測定セルにはＥ−ＵＴＲＡセルの情報が一切含まれないと特定する。よって、当該５ＧネットワークではＥＰＳとの相互操作がサポートされないと特定し、すなわちシングル登録モードをサポートしない。ステップ６０３において、ＮＧ  ＲＡＮは、適切な目標セルを見つけられず切り替えを放棄するため、ＲＲＣ接続を解除し、ＲＲＣ接続解除要求をＵＥに送信する。ステップ６０４において、ＵＥは、当該ＲＲＣ接続解除要求に基づいて、Ｅ−ＵＴＲＡセルを選択し、アタッチプロセスを引き起こす。
【００６４】
図７に示すように、本開示の実施例は、ＵＥがＥＰＳにアタッチし５ＧＳへ接続状態で移動することを例として記載する。当該方法は、以下のステップを含む。ステップ７０１において、接続状態のＵＥは、隣接セル測定情報をＥ−ＵＴＲＡＮから取得する。ステップ７０２において、接続状態のＵＥは、Ｅ−ＵＴＲＡＮから提供された隣接セル測定情報に基づいて、測定セルにはＮＲセルの情報が一切含まれないと特定する。よって、当該ＬＴＥネットワークでは５ＧＳとの相互操作がサポートされないと特定し、すなわちシングル登録モードをサポートしない。ステップ７０３において、Ｅ−ＵＴＲＡＮは、適切な目標セルを見つけられず切り替えを放棄するため、ＲＲＣ接続を解除し、ＲＲＣ接続解除要求をＵＥに送信する。ステップ７０４において、ＵＥは、当該ＲＲＣ接続解除要求に基づいて、ＮＲセルを選択し、初期登録プロセスを引き起こす。
【００６５】
図８に示すように、本開示の実施例は、ＡＭＦから、ＵＥが接続状態で移動すると指示することを例として記載する。当該シーンは、ＮＧ  ＲＡＮではＥ−ＵＴＲＡ  ｃｅｌｌの情報が設定されているが、ＡＭＦではＮｘインタフェースが構成されていない。当該方法は、以下のステップを含む。ステップ８０１において、ｓｉｎｇｌｅ  ｒｅｇｉｓｔｒａｔｉｏｎ  ｍｏｄｅで動作するＵＥは、まず５Ｇネットワークに登録し、ネットワークとの間で登録モード協議を行う。５ＧＳではＮｘインタフェースがサポートされないのであれば、５ＧＳは、シングル登録モードをサポートしないことをＵＥに指示する。ステップ８０２において、ＵＥは、登録モード協議結果または指示に基づいて、５Ｇネットワークでシングル登録モードがサポートされないと特定する。ステップ８０３において、ＮＧ  ＲＡＮは、切り替えの意思決定を行い、切り替えフローを引き起こすと特定し、切り替え要求メッセージをＡＭＦに送信する。ステップ８０４において、ＡＭＦではシングル登録モードがサポートされないため、ＡＭＦは、切り替えを拒否し、切り替え拒否メッセージをＮＧ  ＲＡＮに送信する。ステップ８０５において、ＡＭＦは、ＲＡＴ（Ｒａｄｉｏ  Ａｃｃｅｓｓ  Ｔｅｃｈｎｏｌｏｇｙ）再選択指示をＵＥに送信する。ここで、当該指示は、ＮＡＳメッセージで送信される。ステップ８０６において、ＵＥは、当該ＲＡＴ再選択指示に基づいて、ＥＰＳへのアタッチプロセスを実行すると特定する。
【００６６】
この実施例において、ＵＥは、当該ＲＡＴ再選択指示に基づいて、ＥＰＳへのアクセスを実行する必要があるかを特定し、必要であれば、ＥＰＳネットワークにアクセスする際にアタッチまたは初期登録プロセスを引き起こす。
【００６７】
本開示の実施例において、ＵＥは、第１ネットワークと第２ネットワークの間で移動する際に、第１ネットワークの補助情報に基づいて、アタッチまたは初期登録プロセスを引き起こすことによって、異なるアクセス技術のネットワーク間で移動する際に移動性管理の失敗が生じるという問題を避け、通信品質を保証する。
【００６８】
図９に示すように、本開示の実施例のシングル登録モードで動作するユーザ機器に応用される情報処理装置は、第１ネットワークの補助情報を受信する受信モジュール９０１と、前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こす処理モジュール９０２とを含む。
【００６９】
ここで、前記処理モジュール９０２は、前記第１ネットワークの補助情報に基づいて、前記第１ネットワークでシングル登録モードがサポートされるか否かを特定する特定サブモジュールと、前記第１ネットワークでシングル登録モードがサポートされないのであれば、前記第２ネットワークにアクセスする際にアタッチまたは初期登録プロセスを引き起こす処理サブモジュールとを含む。
【００７０】
ここで、前記補助情報は、非アクセス層の登録モード協議結果または指示を含み、前記特定サブモジュールは、具体的に、前記登録モード協議結果または指示に基づいて、前記第１ネットワークでシングル登録モードがサポートされるか否かを特定する。
【００７１】
ここで、前記補助情報は、隣接セル測定情報を含み、前記特定サブモジュールは、具体的に、前記第２ネットワークの該当するアクセス技術の任意のセルの情報が前記隣接セル測定情報に含まれないのであれば、前記第１ネットワークでシングル登録モードがサポートされないと特定する。
【００７２】
ここで、前記処理モジュール９０２は、前記第１ネットワークの補助情報に基づいて、第２ネットワークへのアクセスを実行する必要があるかを特定する特定サブモジュールと、第２ネットワークへのアクセスの実行が必要であれば、前記第２ネットワークにアクセスする際にアタッチまたは初期登録プロセスを引き起こす処理サブモジュールとを含む。
【００７３】
ここで、前記補助情報は、前記第１ネットワークの基地局からＲＲＣメッセージで送信される指示を含み、前記指示は、異なるアクセス技術の目標セル情報、異なるアクセス技術間の切り替えの未対応、または、前記第２ネットワークへの再選択の実行の指示を含む。
【００７４】
ここで、前記ＲＲＣメッセージは、ＲＲＣ接続解除メッセージである。
【００７５】
ここで、前記補助情報は、前記第１ネットワークのコアネットワークからＮＡＳメッセージで送信される指示を含み、前記指示は、前記第２ネットワークへの再選択の実行の指示を含む。
【００７６】
本開示に記載の装置の動作原理は、上記の方法実施例の記載を参照されたい。
【００７７】
本開示の実施例において、ＵＥは、第１ネットワークと第２ネットワークの間で移動する際に、第１ネットワークの補助情報に基づいて、アタッチまたは初期登録プロセスを引き起こすことによって、異なるアクセス技術のネットワーク間で移動する際に移動性管理の失敗が生じるという問題を避け、通信品質を保証する。
【００７８】
図１０に示すように、本開示の実施例の第１ネットワークのネットワーク側機器に応用される情報処理装置は、補助情報を取得する取得モジュール１００１と、シングル登録モードで動作するＵＥに前記補助情報を送信する送信モジュール１００２とを含み、前記ＵＥは、前記第１ネットワークと第２ネットワークの間で移動する際に、前記第１ネットワークの補助情報に基づいて、アタッチまたは初期登録プロセスを引き起こす。
【００７９】
ここで、前記補助情報は、非アクセス層の登録モード協議結果または指示を含む。または、前記補助情報は、隣接セル測定情報を含む。または、前記補助情報は、前記第１ネットワークの基地局からＲＲＣメッセージで送信される指示であって、異なるアクセス技術の目標セル情報、異なるアクセス技術間の切り替えの未対応、または、前記第２ネットワークへの再選択の実行の指示を含む指示を含む。または、前記補助情報は、前記第１ネットワークのコアネットワークからＮＡＳメッセージで送信される、前記第２ネットワークへの再選択の実行の指示を含む指示を含む。
【００８０】
ここで、前記ＲＲＣメッセージは、ＲＲＣ接続解除メッセージである。
【００８１】
ここで、前記第１ネットワークの基地局からＲＲＣメッセージで送信される指示は、前記第１ネットワークで異なるアクセス技術間の切り替えの実行に失敗した際に送信される。
【００８２】
本開示に記載の装置の動作原理は、上記の方法実施例の記載を参照されたい。
【００８３】
本開示の実施例において、ＵＥは、第１ネットワークと第２ネットワークの間で移動する際に、第１ネットワークの補助情報に基づいて、アタッチまたは初期登録プロセスを引き起こすことによって、異なるアクセス技術のネットワーク間で移動する際に移動性管理の失敗が生じるという問題を避け、通信品質を保証する。
【００８４】
図１１に示すように、本開示の実施例は、ネットワーク側機器を提供する。プロセッサ１１００は、メモリ１１２０からプログラムを読み取ることによって、補助情報を取得するプロセスと、シングル登録モードで動作するＵＥに前記補助情報をトランシーバ１１１０で送信するプロセスとを実行する。前記ＵＥは、前記第１ネットワークと第２ネットワークの間で移動する際に、前記第１ネットワークの補助情報に基づいて、アタッチまたは初期登録プロセスを引き起こす。トランシーバ１１１０は、プロセッサ１１００による制御でデータを送受信する。
【００８５】
ここで、図１１において、バスアーキテクチャは、任意数の相互接続するバスとブリッジを含み、具体的に、プロセッサ１１００をはじめとする１つ又は複数のプロセッサとメモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１１０は、複数の部品であってもよく、即ち送信機と受信機を含み、伝送媒体でほかの各種類の装置と通信するユニットとして提供される。プロセッサ１１００は、バスアーキテクチャと通常の処理を管理する。メモリ１１２０は、プロセッサ１１００による操作実行に使用されるデータを記憶できる。
【００８６】
プロセッサ１１００は、バスアーキテクチャと通常の処理を管理する。メモリ１１２０は、プロセッサ１１００による操作実行に使用されるデータを記憶できる。
【００８７】
図１２に示すように、本開示の実施例のユーザ機器において、プロセッサ１２００は、メモリ１２２０からプログラムを読み取ることによって、第１ネットワークの補助情報をトランシーバ１２１０で受信するプロセスと、前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こすプロセスとを実行する。トランシーバ１２１０は、プロセッサ１２００による制御でデータを送受信する。
【００８８】
ここで、図１２において、バスアーキテクチャは、任意数の相互接続するバスとブリッジを含み、具体的に、プロセッサ１２００をはじめとする１つ又は複数のプロセッサとメモリ１２２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１２１０は、複数の部品であってもよく、即ち送信機と受信機を含み、伝送媒体でほかの各種類の装置と通信するユニットとして提供される。ユーザ端末によっては、ユーザインタフェース１２３０は、内部接続や外部接続する機器のインタフェースであってもよい。接続する機器は、キーパッド、ディスプレイ、スピーカ、マイクロフォン、ジョイスティックなどを含むが、それらに限られない。
【００８９】
プロセッサ１２００は、バスアーキテクチャと通常の処理を管理する。メモリ１２２０は、プロセッサ１２００による操作実行に使用されるデータを記憶できる。
【００９０】
プロセッサ１２００は、さらに、前記第１ネットワークの補助情報に基づいて、前記第１ネットワークでシングル登録モードがサポートされるか否かを特定し、前記第１ネットワークでシングル登録モードがサポートされないのであれば、前記第２ネットワークにアクセスする際にアタッチまたは初期登録プロセスを引き起こす。
【００９１】
前記補助情報は、非アクセス層の登録モード協議結果または指示を含む。プロセッサ１２００は、さらに、前記登録モード協議結果または指示に基づいて、前記第１ネットワークでシングル登録モードがサポートされるか否かを特定する。
【００９２】
前記補助情報は、隣接セル測定情報を含む。プロセッサ１２００は、さらに、前記第２ネットワークの該当するアクセス技術の任意のセルの情報が前記隣接セル測定情報に含まれないのであれば、前記第１ネットワークでシングル登録モードがサポートされないと特定する。
【００９３】
プロセッサ１２００は、さらに、前記第１ネットワークの補助情報に基づいて、第２ネットワークへのアクセスを実行する必要があるかを特定し、前記第２ネットワークへのアクセスの実行が必要であれば、前記第２ネットワークにアクセスする際にアタッチまたは初期登録プロセスを引き起こす。
【００９４】
ここで、前記補助情報は、前記第１ネットワークの基地局からＲＲＣメッセージで送信される指示を含み、前記指示は、異なるアクセス技術の目標セル情報、異なるアクセス技術間の切り替えの未対応、または、前記第２ネットワークへの再選択の実行の指示を含む。
【００９５】
ここで、前記ＲＲＣメッセージは、ＲＲＣ接続解除メッセージである。
【００９６】
ここで、前記指示は、前記第１ネットワークで異なるアクセス技術間の切り替えの実行に失敗した際に送信される。
【００９７】
ここで、前記補助情報は、前記第１ネットワークのコアネットワークからＮＡＳメッセージで送信される指示を含み、前記指示は、前記第２ネットワークへの再選択の実行の指示を含む。
【００９８】
本開示は、コンピュータプログラムを記憶するためのコンピュータ読み取り可能な記憶媒体をさらに提供する。前記コンピュータプログラムがプロセッサによって実行されると、上記のいずれか１つの実施例の情報処理方法が実行される。
【００９９】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１００】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１０１】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１０２】
以上記載されたのは、本開示の好適な実施形態である。なお、当業者は、本開示に記載されている原理を逸脱せずに様々な改良や修飾をすることもできる。これらの改良や修飾も、本開示の保護範囲として見なされるべきである。
【図１】
2020519179.tif 000003
【図２】
2020519179.tif 000004
【図３】
2020519179.tif 000005
【図４】
2020519179.tif 000006
【図５】
2020519179.tif 000007
【図６】
2020519179.tif 000008
【図７】
2020519179.tif 000009
【図８】
2020519179.tif 000010
【図９】
2020519179.tif 000011
【図１０】
2020519179.tif 000012
【図１１】
2020519179.tif 000013
【図１２】
2020519179.tif 000014
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
シングル登録モードで動作するユーザ機器に応用される情報処理方法において、
第１ネットワークの補助情報を受信することと、
前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こすこととを含む、情報処理方法。
【請求項２】
前記第１ネットワークと第２ネットワークの間で移動する際に、前記第１ネットワークの補助情報に基づいて、アタッチまたは初期登録プロセスを引き起こすことは、
前記第１ネットワークの補助情報に基づいて、前記第１ネットワークでシングル登録モードがサポートされるか否かを特定することと、
前記第１ネットワークでシングル登録モードがサポートされないのであれば、前記第２ネットワークにアクセスする際にアタッチまたは初期登録プロセスを引き起こすこととを含む、請求項１に記載の方法。
【請求項３】
前記補助情報は、
非アクセス層の登録モード協議結果または指示を含み、
前記の前記第１ネットワークの補助情報に基づいて、前記第１ネットワークでシングル登録モードがサポートされるか否かを特定することは、
前記登録モード協議結果または指示に基づいて、前記第１ネットワークでシングル登録モードがサポートされるか否かを特定することを含み、
または、
前記補助情報は、
隣接セル測定情報を含み、
前記第１ネットワークの補助情報に基づいて、前記第１ネットワークでシングル登録モードがサポートされるか否かを特定することは、
前記第２ネットワークの該当するアクセス技術の任意のセルの情報が前記隣接セル測定情報に含まれないのであれば、前記第１ネットワークでシングル登録モードがサポートされないと特定することを含む、請求項２に記載の方法。
【請求項４】
前記第１ネットワークと第２ネットワークの間で移動する際に、前記第１ネットワークの補助情報に基づいて、アタッチまたは初期登録プロセスを引き起こすことは、
前記第１ネットワークの補助情報に基づいて、第２ネットワークへのアクセスを実行する必要があるかを特定することと、
前記第２ネットワークへのアクセスの実行が必要であれば、前記第２ネットワークにアクセスする際にアタッチまたは初期登録プロセスを引き起こすこととを含む、請求項１に記載の方法。
【請求項５】
前記補助情報は、
前記第１ネットワークの基地局からＲＲＣメッセージで送信される指示を含み、
前記指示は、
前記第２ネットワークのセル情報、異なるアクセス技術間の切り替えの未対応、または、前記第２ネットワークへの再選択の実行の指示を含む、請求項４に記載の方法。
【請求項６】
前記ＲＲＣメッセージは、
ＲＲＣ接続解除メッセージである、請求項５に記載の方法。
【請求項７】
前記指示は、
前記第１ネットワークで異なるアクセス技術間の切り替えの実行に失敗した際に送信される、請求項６に記載の方法。
【請求項８】
第１ネットワークのネットワーク側機器に応用される情報処理方法において、
補助情報を取得することと、
シングル登録モードで動作するＵＥに前記補助情報を送信することとを含み、
前記ＵＥは、
前記第１ネットワークと第２ネットワークの間で移動する際に、前記第１ネットワークの補助情報に基づいて、アタッチまたは初期登録プロセスを引き起こす、情報処理方法。
【請求項９】
前記補助情報は、非アクセス層の登録モード協議結果または指示を含むこと、または、
前記補助情報は、隣接セル測定情報を含むこと、または、
前記補助情報は、前記第１ネットワークの基地局からＲＲＣメッセージで送信される指示であって、異なるアクセス技術の目標セル情報、異なるアクセス技術間の切り替えの未対応、または、前記第２ネットワークへの再選択の実行の指示を含む指示を含むこと、または、
前記補助情報は、前記第１ネットワークのコアネットワークからＮＡＳメッセージで送信される、前記第２ネットワークへの再選択の実行の指示を含む指示を含む、請求項８に記載の方法。
【請求項１０】
シングル登録モードで動作するユーザ機器に応用される情報処理装置において、
第１ネットワークの補助情報を受信する受信モジュールと、
前記第１ネットワークと、前記第１ネットワークとは異なるアクセス技術が用いられる第２ネットワークの間で移動する際に、前記第１ネットワークの補助情報に基づいて、アタッチまたは初期登録プロセスを引き起こす処理モジュールとを含む、情報処理装置。
【請求項１１】
前記処理モジュールは、
前記第１ネットワークの補助情報に基づいて、前記第１ネットワークでシングル登録モードがサポートされるか否かを特定する特定サブモジュールと、
前記第１ネットワークでシングル登録モードがサポートされないのであれば、前記第２ネットワークにアクセスする際にアタッチまたは初期登録プロセスを引き起こす処理サブモジュールとを含む、請求項１０に記載の装置。
【請求項１２】
前記補助情報は、
非アクセス層の登録モード協議結果または指示を含み、
前記特定サブモジュールは、具体的に、
前記登録モード協議結果または指示に基づいて、前記第１ネットワークでシングル登録モードがサポートされるか否かを特定し、
または、
前記補助情報は、
隣接セル測定情報を含み、
前記特定サブモジュールは、具体的に、
前記第２ネットワークの該当するアクセス技術の任意のセルの情報が前記隣接セル測定情報に含まれないのであれば、前記第１ネットワークでシングル登録モードがサポートされないと特定する、請求項１１に記載の装置。
【請求項１３】
前記処理モジュールは、
前記第１ネットワークの補助情報に基づいて、第２ネットワークへのアクセスを実行する必要があるかを特定する特定サブモジュールと、
第２ネットワークへのアクセスの実行が必要であれば、前記第２ネットワークにアクセスする際にアタッチまたは初期登録プロセスを引き起こす処理サブモジュールとを含む、請求項１０に記載の装置。
【請求項１４】
第１ネットワークのネットワーク側機器に応用される情報処理装置において、
補助情報を取得する取得モジュールと、
シングル登録モードで動作するＵＥに前記補助情報を送信する送信モジュールとを含み、
前記ＵＥは、
前記第１ネットワークと第２ネットワークの間で移動する際に、前記第１ネットワークの補助情報に基づいて、アタッチまたは初期登録プロセスを引き起こす、情報処理装置。
【請求項１５】
前記補助情報は、非アクセス層の登録モード協議結果または指示を含むこと、または、
前記補助情報は、隣接セル測定情報を含むこと、または、
前記補助情報は、前記第１ネットワークの基地局からＲＲＣメッセージで送信される指示であって、異なるアクセス技術の目標セル情報、異なるアクセス技術間の切り替えの未対応、または、前記第２ネットワークへの再選択の実行の指示を含む指示を含むこと、または、
前記補助情報は、前記第１ネットワークのコアネットワークからＮＡＳメッセージで送信される、前記第２ネットワークへの再選択の実行の指示を含む指示を含む、請求項１４に記載の装置。
【国際調査報告】
2020519179.tif 000015
2020519179.tif 000016
2020519179.tif 000017
2020519179.tif 000018